(57)【要約】【課題】  天板の姿勢が変化しても常に重心バランスが安定して天板を支持することができ、別途部材を追加することなく天板の姿勢に応じて脚部を容易に安定化させることができる机の脚装置を提供する。【解決手段】  天板の両側部を脚体２で支持してなる机の脚装置であって、脚体２の下端に位置を変更しない固定的な第１接地部材６と前後の取付位置を変更可能な第２接地部材７を設け、天板の姿勢に応じて脚体の第２接地部材の取付位置を変更する。具体的には、脚体の下端面と第２接地部材とに、螺孔２５、取付孔２６及びボルト２７とを備えた締結手段を前後方向に一定間隔で複数設け、脚体の下端面に対する第２接地部材の取付位置を隣接する締結手段の間隔分だけ変更可能としてなる。【選択図】        図３
2011172978.tif 000002
【特許請求の範囲】
【請求項１】
天板の両側部を脚体で支持してなる机の脚装置であって、前記脚体の下端に位置を変更しない固定的な第１接地部材と前後の取付位置を変更可能な第２接地部材を設け、前記天板の姿勢に応じて前記脚体の第２接地部材の取付位置を変更することを特徴とする机の脚装置。
【請求項２】
前記脚体の下端面と前記第２接地部材とに、螺孔、取付孔及びボルトとを備えた締結手段を前後方向に一定間隔で複数設け、前記脚体の下端面に対する前記第２接地部材の取付位置を隣接する締結手段の間隔分だけ変更可能としてなる請求項１記載の机の脚装置。
【請求項３】
前記脚体の下端面は平面とし、前記第１接地部材と第２接地部材は断面が略同一の杆体であり、前記第１接地部材と第２接地部材とが連続した通常脚態様と、前記第１接地部材と第２接地部材との間に隙間を有する拡張脚態様をとる請求項１又は２記載の机の脚装置。
【請求項４】
前記第１接地部材の下面と前記第２接地部材の下面に、それぞれ形成した凹部にアジャスターを設けてなる請求項１〜３何れかに記載の机の脚装置。
【発明の詳細な説明】
【技術分野】
【０００１】
本発明は、机の脚装置に係わり、更に詳しくは天板の奥行幅を調節可能な学習机等の机の脚部に適用する脚装置に関するものである。
【背景技術】
【０００２】
従来から、学習机においては、使用目的や好みによって、奥行幅が広い天板に対する要求や、逆に奥行幅が狭い天板に対する要求があり、また学習机を購入後にそれらの要求が変化する場合もあり、多くの使用者に適した学習机を提供する目的で、状況に応じて天板の奥行幅を調整できる学習机が望まれている。
【０００３】
特許文献１には、垂直部の上下部から前方へ延びた支持部と、接地する脚部を有する側面視コ字形の脚部材と、支持部の上端に取付けた天板とからなるオフィステーブルにおいて、垂直部の上端部に支持アームを連結して前記天板と同一高さに補助天板を取付けるとともに、脚部の後端に補助脚部片を連結する構造が記載されている。
【０００４】
また、特許文献２には、両脚板間に水平に設けた天板を所定ストロークだけ前方へ引き出し可能に形成し、該天板の後端に補助プレートを配設するとともに、該補助プレートを前記天板と同一平面を形成する水平な姿勢と両脚板間の後部下方に埋設される垂直な姿勢とに選択できるように形成し、更に前記補助プレートの前後幅を前記天板のストロークと略同じ寸法に形成した机が開示されている。
【０００５】
しかし、特許文献１の場合、天板の後部に補助天板を取付けて天板の奥行幅を拡張でき、該補助天板を脚部材より後方へ突出するように取付けたことによる不安定性を脚部の後端に補助脚部片を連結することで解消しているが、補助天板を取付ける支持アームは、両脚部材を連結する連結ビームにボルト止めし、また補助脚部片は脚部との接合部に跨って沿わせた連結板を用いてボルト止めするといった煩雑な作業が必要であるばかりでなく、使用しない場合の補助天板、支持アーム、補助脚部片及び連結板を別の場所に保管しなければならず、部品管理に手間とコストがかかるといった問題がある。また、特許文献２では、机の奥行幅を拡張する場合には、脚板に対して天板を前方に引き出すので、天板の前部が脚板から突出し、重心が前がかりになって不安定である。安定性の観点からは、脚部に対して天板は固定的であることが望ましいのである。
【先行技術文献】
【特許文献】
【０００６】
【特許文献１】実開昭６３−１３８１４１号公報
【特許文献２】実開昭６０−１９１２２５号公報
【発明の概要】
【発明が解決しようとする課題】
【０００７】
そこで、本発明が前述の状況に鑑み、解決しようとするところは、天板の姿勢が変化しても常に重心バランスが安定して天板を支持することができ、別途部材を追加することなく天板の姿勢に応じて脚部を容易に安定化させることができる机の脚装置を提供する点にある。
【課題を解決するための手段】
【０００８】
本発明は、前述の課題解決のために、天板の両側部を脚体で支持してなる机の脚装置であって、前記脚体の下端に位置を変更しない固定的な第１接地部材と前後の取付位置を変更可能な第２接地部材を設け、前記天板の姿勢に応じて前記脚体の第２接地部材の取付位置を変更することを特徴とする机の脚装置を構成した（請求項１）。
【０００９】
ここで、前記脚体の下端面と前記第２接地部材とに、螺孔、取付孔及びボルトとを備えた締結手段を前後方向に一定間隔で複数設け、前記脚体の下端面に対する前記第２接地部材の取付位置を隣接する締結手段の間隔分だけ変更可能としてなることが好ましい（請求項２）。
【００１０】
また、前記脚体の下端面は平面とし、前記第１接地部材と第２接地部材は断面が略同一の杆体であり、前記第１接地部材と第２接地部材とが連続した通常脚態様と、前記第１接地部材と第２接地部材との間に隙間を有する拡張脚態様をとることがより好ましい（請求項３）。
【００１１】
また、前記第１接地部材の下面と前記第２接地部材の下面に、それぞれ形成した凹部にアジャスターを設けてなることも好ましい（請求項４）。
【発明の効果】
【００１２】
以上にしてなる請求項１に係る発明の机の脚装置は、天板の両側部を脚体で支持してなる机の脚装置であって、前記脚体の下端に位置を変更しない固定的な第１接地部材と前後の取付位置を変更可能な第２接地部材を設け、前記天板の姿勢に応じて前記脚体の第２接地部材の取付位置を変更するので、天板の奥行幅が変化しても常に重心バランスが安定した状態で天板を支持することができる。
【００１３】
請求項２によれば、前記脚体の下端面と前記第２接地部材とに、螺孔、取付孔及びボルトとを備えた締結手段を前後方向に一定間隔で複数設け、前記脚体の下端面に対する前記第２接地部材の取付位置を隣接する締結手段の間隔分だけ変更可能としてなるので、前記第２接地部材の取付位置を前後方向に一段階又は多段階に簡単に調節することができる。
【００１４】
請求項３によれば、前記脚体の下端面は平面とし、前記第１接地部材と第２接地部材は断面が略同一の杆体であり、前記第１接地部材と第２接地部材とが連続した通常脚態様と、前記第１接地部材と第２接地部材との間に隙間を有する拡張脚態様をとるので、通常脚態様では外観性に優れたものになる。
【００１５】
請求項４によれば、前記第１接地部材の下面と前記第２接地部材の下面に、それぞれ形成した凹部にアジャスターを設けてなるので、床面の不陸を吸収することができる。
【図面の簡単な説明】
【００１６】
【図１】本発明に係る学習机を示し、（ａ）は拡張天板が格納姿勢の状態の斜視図、（ｂ）は拡張天板が水平姿勢の状態で第２接地部材を後方へ突出させて取付けた状態の斜視図である。
【図２】同じく本発明に係る学習机を示し、（ａ）は拡張天板が格納姿勢の状態の側面図、（ｂ）は拡張天板が水平姿勢の状態で第２接地部材を後方へ突出させて取付けた状態の側面図である。
【図３】本発明の要部の拡大縦断面図である。
【図４】拡張天板が格納姿勢の状態の要部縦断面図である。
【図５】拡張天板が水平姿勢の状態の要部縦断面図である。
【図６】拡張天板が格納姿勢の状態の学習机と書棚とを組み合わせて使用する場合の説明用斜視図である。
【図７】拡張天板が格納姿勢の状態の学習机の後部に書棚の前面を連結して併設した状態の部分縦断面図である。
【図８】拡張天板が水平姿勢の状態の学習机の後部に書棚の前面を連結して併設した状態を示す斜視図である。
【図９】同じく拡張天板が水平姿勢の状態の学習机の後部に書棚の前面を連結して併設した状態を示す部分縦断面図である。
【図１０】拡張天板が水平姿勢の学習机の後部に分離した上書棚を載置した使用状態を示す斜視図である。
【図１１】学習机と上書棚とを固定具を用いて連結した状態の要部拡大縦断面図である。
【発明を実施するための形態】
【００１７】
次に、添付図面に示した実施形態に基づき、本発明を更に詳細に説明する。図１〜図５は本発明の机の脚装置を適用した実施形態に係る学習机を示し、図６〜図１１は学習机と書棚とを組み合わせて使用する実施形態を示し、図中Ａは学習机、Ｂは書棚、１は天板、２は脚体、３は拡張天板、４は支持アーム、５は凹部、６は第１接地部材、７は第２接地部材をそれぞれ示している。
【００１８】
本発明に係る学習机Ａは、天板１の両側部を脚体２，２で支持し、両脚体２の後端を前記天板１の後端より後方へ突出しないように設定するとともに、該天板１又は前記脚体２に直接又は他の部材を介して間接的に拡張天板３を設け、該拡張天板３が前記天板１の後端に連続して該天板１と上面を面一となした水平姿勢と、前記天板１の後端より後方へ突出しない格納姿勢とをとることが可能なものである。そして、前記脚体２の下端であって前部に位置を変更しない固定的な第１接地部材６を取付けるとともに、後部に前後の取付位置を変更可能に第２接地部材７を着脱可能に取付けている。ここで、前記拡張天板３を天板１の後方へ水平姿勢に配した天板拡張仕様で、前記第２接地部材７を後方へ突出するようにずらせて付け替えることにより、安定に支持することができるようにしたことを特徴としている。つまり、本発明は、前記天板の姿勢に応じて前記脚体２に対する第２接地部材７の取付位置を変更できるようにしている。
【００１９】
ここで、前記学習机Ａは、図４及び図５に示すように、前記拡張天板３を、支持アーム４，４を介して両脚体２，２に上下回動可能に設けるとともに、前記脚体２の後部に略垂直な格納姿勢の拡張天板３を収容する凹部５又は凹段部を設けている。更に、前記拡張天板３の下面両側部に奥行方向と平行に固定した支持アーム４，４の基端側突出部８，８に、該拡張天板３の上面と平行な長孔９を形成するとともに、該長孔９より拡張天板３側に上下に貫通した支持孔１０を形成するとともに、拡張天板３の下方位置の支持アーム４に左右に貫通した支持孔１１を形成し、前記長孔９に通した支軸１２を前記脚体２の内面側に固定して上下回動可能とするとともに、該拡張天板３が水平姿勢の状態で前記支持孔１０に通した固定ネジ１３を天板１の下面の螺孔１４に螺合し、また拡張天板３が格納姿勢の状態で前記支持孔１１に通した固定ネジ１３を脚板２の内面の螺孔１５に螺合して姿勢を保持する。
【００２０】
更に、前記拡張天板３の両側部で下面から前方へ突片１６，１６を突設するとともに、前記天板１の両側部で下面後端縁に前記突片１６を嵌入する受け金具１７，１７を取付け、前記拡張天板３を水平姿勢にしたときに、前記突片１６，１６を受け金具１７，１７に嵌入することにより、該拡張天板３の上下方向の撓み変形を防止している。
【００２１】
次に、前記学習机Ａの各部の詳細を説明する。本実施形態の学習机Ａは木製であり、各部材も木製で作成されている。前記脚体２は、前後に配した支脚１８，１８の上下端部間を、横部材１９，１９を連結して側面視略四角形のフレームを構成している。そして、前記天板１の下面には、引出し２０，…を引き出し可能に保持する支持枠２１を両側部を余して固定し、前記脚体２の上端部を該支持枠２１の側面に連結するとともに、該脚体２の上端を前記天板１の下面にピンダボ等で強固に固定している。そして、両脚体２，２の下部後端間に連結部材２２を連結して剛性を高めている。
【００２２】
そして、前記脚体２の後側支脚１８の上端部内面に、前記支持アーム４の基端側突出部８を支軸１２と長孔９とで枢支している。また、後側支脚１８の上端部には、前記拡張天板３が格納姿勢をとるときに、前記支持アーム４に形成した支持孔１１に対応する位置に螺孔１５を、オニメナットを埋設する等して設けている。更に、後側支脚１８の上部後端部に、前記拡張天板３を収容するための凹部５を切欠形成し、該拡張天板３が略垂直な格納姿勢において、該拡張天板３が前記天板１の後端より後方へ突出しないように設定している。
【００２３】
更に詳しく本発明を説明すれば、図１〜図３に示すように、前記第２接地部材７を前記脚体２に対して前方に取付けた際には、該第２接地部材７の後端が前記脚体２の後端より後方へ突出しない通常脚態様と、前記第２接地部材７を前記脚体２に対して後方に取付けた際には、該第２接地部材７の後端が前記脚体２の後端より後方へ突出した拡張脚態様とをとることが可能となっている。尚、拡張脚態様のときに、前記第１接地部材６と第２接地部材７との間に生じる隙間を、別途用意した樹脂キャップや机に予め取付けてあるブロク部材で埋めることも好ましい。
【００２４】
具体的には、前記第１接地部材６と第２接地部材７は断面が四角形の略同一の杆体であり、前記第２接地部材７を前記脚体２に対して前方に取付けた際には第１接地部材６と連続し、前記第１接地部材６の前端部下面と前記第２接地部材７の後端部下面に、それぞれ形成した凹部２３にアジャスター２４を設けて床面の不陸を吸収するようにしている。
【００２５】
そして、前記脚体２の下端は、前後の支脚１８，１８と下側横部材１９とで平らな面となっており、該脚体２の前部の下端面に前記第１接地部材６を固定し、それよりも後部の下端面に、前後方向に一定間隔で複数の螺孔２５，…を形成するとともに、前記第２接地部材７に前記螺孔２５，…の間隔と同一間隔で取付孔２６，…を上下貫通して形成し、複数のボルト２７，…を前記取付孔２６，…から前記螺孔２５，…に螺合して前記第２接地部材７を脚体２に着脱可能に取付けている。本実施形態では、前記螺孔２５，…は四箇所に設け、取付孔２６，…を三箇所に設けて、隣接する螺孔２５，２５の間隔分だけ後方へ第２接地部材７を付け替えることができるようにしている。前記螺孔２５、取付孔２６及びボルト２７は、本発明の締結手段を構成している。
【００２６】
次に、前記学習机Ａと書棚Ｂを組み合わせて使用する場合を図６〜図１１に基づいて説明する。前記書棚Ｂは、前記天板１と上面が同じ高さの固定棚板２８を備えた下書棚Ｂ１と、該下書棚Ｂ１の上に分離可能に載置固定する上書棚Ｂ２とからなっている。それにより、図６及び図７に示すように、前記拡張天板３が格納姿勢において前記天板１の後端に前記書棚Ｂの固定棚板２８の前端を接合可能としている。
【００２７】
前記書棚Ｂの固定棚板２８の下面前縁部に、先端に上向きの係合片３０を設けた単又は複数の連結金具２９を該係合片３０が前方へ突出した状態で着脱可能に取付けるとともに、前記学習机Ａの天板１の少なくとも下面後縁部に、該天板１の後端部と前記書棚Ｂの固定棚板２８の前端部とを接合した状態で、前記連結金具２９の係合片３０を係合する係合溝３１を形成したのである。
【００２８】
また、図８及び図９に示すように、前記拡張天板３が水平姿勢において、該拡張天板３の後端部と前記書棚Ｂの固定棚板２８の前端部を面一に接合することが可能であるが、この際にも拡張天板３と固定棚板２８とを連結できるように、前記拡張天板３の下面後縁部にも前記連結金具２９の係合片３０を係合する係合溝３２を形成している。更に、前記学習机Ａの天板１の下面側縁部に、該天板１の側端部と前記書棚Ｂの固定棚板２８の前端部とを接合した状態で、前記連結金具２９の係合片３０を係合する係合溝３３を形成している。
【００２９】
本実施形態では、前記書棚Ｂの固定棚板２８の両側部寄りの二箇所に前記連結金具２９，２９を取付けることができるように構成し、それに応じて前記学習机Ａの天板１及び拡張天板３の後縁部の両側部寄りに係合溝３１，３１と係合溝３２，３２を形成している。一方、前記学習机Ａの天板１の両側部にはその横幅の略中央部の一箇所に係合溝３３を形成し、学習机Ａの一側部を書棚Ｂの前面の左右一側よりに接合して併設する場合には、一方の連結金具２９を用いて連結する。
【００３０】
また、前記学習机Ａの天板１の両側部で下面側縁部に係合溝３３，３３を形成するには、前記各脚体２の上端中央部に切欠部３４を形成して前記天板１の下面を開放し、その開放した下面に前記係合溝３３を形成している。尚、前記切欠部３４，３４を天板１の両側部に形成したことにより、学習机Ａの両側部に指掛け部が形成されるので、天板１の側端と脚体２の外側面との間の段差が少なくても、また段差が全く存在しなくても学習机Ａを簡単に持ち上げることができる。
【００３１】
また、図１０に示すように、前記拡張天板３を水平姿勢とした学習机Ａと、書棚Ｂとは、それぞれ離して独立して使用することができることは勿論であるが、学習机Ａの一側部に書棚Ｂの前面を密着させて組合せて使用することもできる。ここで、前記拡張天板３を格納姿勢とした学習机Ａを、奥行幅の狭い独立した机として使用することは任意である。
【００３２】
前記書棚Ｂは、前記固定棚板２８を備えた下書棚Ｂ１と、該下書棚Ｂ１の上に分離可能に載置固定する上書棚Ｂ２とからなっているので、図１０に示すように、前記拡張天板３が水平姿勢において前記書棚Ｂから分離した上書棚Ｂ２を前記学習机Ａの天板１後部と拡張天板３の上面に載置固定し、机上棚を備えた学習机を構成することができる。ここで、前記下書棚Ｂ１と上書棚Ｂ２の連結は、前記固定棚板２８の側縁を利用して固定具３５で引き付けて行うようにしている。学習机Ａの後部に上書棚Ｂ２を載置した際にも同じ固定具３５を利用して連結することができる。
【００３３】
そして、前記固定具３５は、図１１に示すように、下部に前記天板１や固定棚板２８の縁部に係止可能なクランク部３６を有し、上部に上書棚Ｂ２の側板３７に設けた螺孔３８に固定ネジ３９を螺合することにより、引き付けて連結するための締付部４０を有している。前記脚体２を構成する後側支脚１８の上端部及び上側横部材１９の後部上端部に切欠部４１，４１を形成し、該切欠部４１から侵入させたクランク部３６の先端を前記天板１の側縁に係止する。そして、前記締付部４０に形成した縦長孔４２を孔縁部を下方になるに従い前記側板３７に接近するように傾斜させているので、該縦長孔４２に前記固定ネジ３９を挿通し、前記螺孔３８に螺合して締め付けると、固定ネジ３９の頭部が縦長孔４２の孔縁部を押圧して締付部４０を上方へ移動させ、もって前記天板１に側板３７を引き付けるのである。
【００３４】
前記脚体２の後部に前後に二つの切欠部４１，４１を形成したのは、前記拡張天板３を水平姿勢とし、その上に上書棚Ｂ２を載置して連結する場合に、後方の切欠部４１を利用し、一方、前記拡張天板３を格納姿勢とした状態で天板１の後部に上書棚Ｂ２を載置して連結する場合に、前方の切欠部４１を利用して固定具３５で連結できるようにするためである。
【符号の説明】
【００３５】
Ａ  学習机、              Ｂ  書棚、
Ｂ１  下書棚、            Ｂ２  上書棚、
１  天板、                ２  脚体、
３  拡張天板、            ４  支持アーム、
５  凹部、                ６  第１接地部材、
７  第２接地部材、        ８  基端側突出部、
９  長孔、                １０  支持孔、
１１  支持孔、            １２  支軸、
１３  固定ネジ、          １４  螺孔、
１５  螺孔、              １６  突片、
１７  受け金具、          １８  支脚、
１９  横部材、            ２０  引出し、
２１  支持枠、            ２２  連結部材、
２３  凹部、              ２４  アジャスター、
２５  螺孔（締結手段）、    ２６  取付孔（締結手段）、
２７  ボルト（締結手段）、  ２８  固定棚板、
２９  連結金具、          ３０  係合片、
３１  係合溝、            ３２  係合溝、
３３  係合溝、            ３４  切欠部、
３５  固定具、            ３６  クランク部、
３７  側板、              ３８  螺孔、
３９  固定ネジ、          ４０  締付部、
４１  切欠部、            ４２  縦長孔。
【図１】
2011172978.tif 000003
【図２】
2011172978.tif 000004
【図３】
2011172978.tif 000005
【図４】
2011172978.tif 000006
【図５】
2011172978.tif 000007
【図６】
2011172978.tif 000008
【図７】
2011172978.tif 000009
【図８】
2011172978.tif 000010
【図９】
2011172978.tif 000011
【図１０】
2011172978.tif 000012
【図１１】
2011172978.tif 000013